(57)【要約】【課題】冷蔵ショーケースが歪んで扉の開閉が不自由になったり扉と側壁との間に隙間ができないようにする。【解決手段】開口部を画成する下壁１５の前縁部に下レール３０が配設され、該レール３０にスライド式ガラス扉１７，１８がスライド可能に載置される。下壁１５の下方に画成される機械室２０に補強部材３５が配設される。補強部材３５の上面３８に下方から貫通するよう螺入された下レール調節用のボルト３９の先端部は、下壁１５を貫通して下レール３０の底面に当接するよう構成される。すなわち、ボルト３９の突出量を調節することで、下レール３０の傾きや歪み等を矯正し、扉１７，１８と開口部との隙間を無くすことができる。【選択図】　図２
2004008263.tif 000002
【特許請求の範囲】
【請求項１】
スライド式の扉（１７，１８）が開口部（１０ａ）に設けられる収納室（１６）と、該収納室（１６）の下壁（１５）を介して下側に設けられた下室（２０）と、前記収納室（１６）の前記下壁（１５）の前縁部に取り付けられて前記扉（１７，１８）がスライド可能に載置される下レール（３０）とを備えるスライド扉付き収納ケースにおいて、
前記下室（２０）から前記下壁（１５）を貫通して、その先端部が前記下レール（３０）の底面に当接すると共に、該先端部の下壁（１５）からの突出量を調節可能な下レール調節用の調節部材（３９）を備えた
ことを特徴とするスライド扉付き収納ケース。
【請求項２】
前記下室（２０）の内周壁のうち、前記下レール（３０）の取付位置の真下に位置する内周壁に密着して設けられる矩形状の剛体でなる補強部材（３５）を備え、前記下レール調節用の調節部材（３９）は該補強部材（３５）の上面（３８）を貫通して補強部材（３５）に取り付けられる請求項１記載のスライド扉付き収納ケース。
【請求項３】
前記下レール調節用の調節部材（３９）は、扉（１７，１８）のスライド方向に所定間隔離間して複数設けられる請求項１または２記載のスライド扉付き収納ケース。
【発明の詳細な説明】
【０００１】
【発明の属する技術分野】
本発明は、冷蔵ショーケース等のようにスライド扉で正面開口部を開閉するスライド扉付き収納ケースに関し、更に詳細には、スライド扉を載せる下レールと側壁との間の直角関係を保持できるスライド扉付き収納ケースに関するものである。
【０００２】
【従来の技術】
商店等に設置される冷蔵ショーケースは、例えば特開平１１―３２５７０６号公報に記載されているように、冷蔵室の前側にスライド式のガラス扉を配置して中の商品が客に見えるように陳列し、客自身がガラス扉をスライドさせて開き、中の商品を取り出すことができるようになっている。このようなスライド式の扉を備える冷蔵ショーケースでは、冷蔵室の下壁前縁部に沿って下レールを敷設し、この下レールに沿ってスライド式扉を開閉する構造になっている。
【０００３】
【発明が解決しようとする課題】
前述した冷蔵ショーケースを店内等に設置する場合、床が平坦であることが好ましいのはいうまでもないが、少し段差のある床に設置せざるを得ない場合もある。図５は、段差のある床に冷蔵ショーケースを設置したときの不具合を説明する図である。すなわち、冷蔵ショーケース１の下レール２と側壁３，４とは、直角関係を持つように製造されているが、この冷蔵ショーケース１を、段差５のある床に設置すると、冷蔵ショーケース１の自重によって該ショーケース１に歪みを生じ、上記の直角関係が崩れ、スライド式のガラス扉６，７と側壁３，４との間に隙間８，９が生じてしまう。
【０００４】
また、平坦な床に冷蔵ショーケース１を設置したとしても、図６に示すように、冷蔵室内の貯蔵品の重さやスライド式の扉６，７の重さによって歪みを生じ、前記の直角関係が崩れ、スライド式のガラス扉６，７と側壁３，４との間に隙間８，９が生じてしまう。
【０００５】
前述したような隙間８，９が生じると、冷蔵室内の冷気が該隙間８，９から外に漏れ出てしまい、冷蔵ショーケース１の冷蔵性能を低下させるばかりか、消費電力を浪費することにもなる。また、扉６，７の開閉操作がスムーズにできなくなるという問題も招く。
【０００６】
【発明の目的】
本発明は、従来の技術に係るスライド扉付き収納ケースに内在している前記欠点に鑑み、これを好適に解決するべく提案されたものであって、開口部と扉との間に隙間を生じないようにし得るスライド扉付き収納ケースを提供することを目的とする。
【０００７】
【課題を解決するための手段】
前記課題を解決し、所期の目的を達成するため、本発明に係るスライド扉付き収納ケースは、
スライド式の扉が開口部に設けられる収納室と、該収納室の下壁を介して下側に設けられた下室と、前記収納室の前記下壁の前縁部に取り付けられて前記扉がスライド可能に載置される下レールとを備えるスライド扉付き収納ケースにおいて、
前記下室から前記下壁を貫通して、その先端部が前記下レールの底面に当接すると共に、該先端部の下壁からの突出量を調節可能な下レール調節用の調節部材を備えたことを特徴とする。
【０００８】
【発明の実施の形態】
次に、本発明に係るスライド扉付き収納ケースにつき、好適な実施例を挙げて、添付図面を参照しながら以下説明する。なお、以下に述べる実施例は、本発明を冷蔵ショーケースに適用したものであるが、本発明は、スライド扉を下レール上でスライドさせる収納ケース一般に適用できるものである。
【０００９】
図１は、本発明の実施例に係る冷蔵ショーケースの正面図であり、図２は、図１のＩＩ―ＩＩ線断面図である。この冷蔵ショーケース１０は、断熱構造とされた上壁１１、奥壁１２、左右の側壁１３，１４および下壁１５で画成された収納室としての冷蔵室１６が設けられており、該冷蔵室１６の正面において上下および左右の壁１１，１５，１３，１４により画成された開口部１０ａは、２枚のスライド式ガラス扉１７，１８によって開閉可能に閉塞される。冷蔵室１６の下部には、図示省略のコンプレッサ等の冷凍装置を収納する下室としての機械室２０が設けられており、該機械室２０の正面開口部は、多数の通気孔２１が設けられた化粧パネル２２によって閉塞されている。
【００１０】
前記冷蔵室１６内の底部分は底板２３によって冷却器収納室２４が画成され、この冷却器収納室２４内に、冷却器２５やファン２６が収納される。また冷蔵室１６内には幾段かの棚網２７が設けられ、この棚網２７に商品（図示せず）が陳列載置される。そして、冷却器２５によって冷却された冷気が、ファン２６によって矢印Ａ方向に冷蔵室１６内を循環し、商品を冷却するようになっている。
【００１１】
前記冷蔵室１６における下壁１５の前縁部には、前記スライド式ガラス扉１７，１８を摺動可能に載置する下レール３０が左右方向に延在するよう取り付けられると共に、前記上壁１１の前縁部には、スライド式ガラス扉１７，１８を摺動可能に保持する上レール３１が下レール３０と平行に取り付けられている。
【００１２】
前記上レール３１は、図２の上段拡大図に示すように、下方に開口する２条の凹溝３１ａ，３１ｂが平行に形成され、前記スライド式ガラス扉１７，１８の上部に突設された突条１７ａ，１８ａを、対応する凹溝３１ａ，３１ｂ内にスライド可能に支持するよう構成される。これに対して前記下レール３０は、図２の下段拡大図に示すように、前記冷蔵室１６の下壁１５を構成する断熱発泡材の上面に敷かれた内壁板３２の上に載置される底板３０ａと、該底板３０ａ上に突設された２条のレール部材３０ｂ，３０ｃと、下レール３０の前側を覆う化粧板３０ｄとを備え、スライド式ガラス扉１７，１８の底に設けられた凹溝が対応するレール部材３０ｂ，３０ｃの上に摺動可能に載せられている。
【００１３】
図３は、冷蔵ショーケース１０の機械室２０前面の前記化粧パネル２２を取り外した状態を示す正面図である。実施例では、機械室２０の前部であって下レール３０の真下に来る位置に、機械室２０の周囲内周壁に密着するように補強部材３５が嵌め込まれている。この補強部材３５は、肉厚が少し厚手のアルミ筐体あるいはステンレス筐体で構成されて高い剛性を有し、その背面３６には複数の通気孔３７が設けられており、機械室２０内と化粧パネル２２の通気孔２１との連通を図るようになっている。また補強部材３５の上面３８には、図示例では３本の下レール調節用のボルト（調節部材）３９が、前記下レール３０の延在方向（スライド式ガラス扉１７，１８のスライド方向）に所定間隔離間して装着され、該ボルト３９を回転することで、ボルト３９の上方向への突出量を調節することができるようになっている。なお、補強部材３５に装着されるボルト３９の数は、１個以上の任意数あればよい。
【００１４】
前記各ボルト３９の先端部は、図２の下段拡大図に示されるとおり、冷蔵室１６の下壁１５を貫通し、前記内壁板３２に開けられた穴３２ａを通して下レール３０における底板３０ａの下面（底面）に当接するよう構成される。すなわち、ボルト３９を回転調節してその突出量（下壁１５からの先端部の突出量）が長くなると、下レール３０はボルト３９に押されて内壁板３２から浮き上がるようになっている。
【００１５】
【実施例の作用】
次に、前述した構成の冷蔵ショーケースの作用について説明する。実施例に係る冷蔵ショーケース１０では、剛性の高い補強部材３５が機械室２０の前部にピッタリと嵌め込まれているため、仮に図５に示すように段差のある床に冷蔵ショーケース１０が設置されたとしても、機械室２０の変形が補強部材３５の存在によって阻止される。このため、下壁１５と側壁１３，１４との間の直角関係が保持され、扉１７，１８と側壁１３，１４（開口部１０ａ）との間に、図５に示すような隙間８，９が生じることは抑制される。また、冷蔵室１６に収納される商品等によって下壁１５に加わる荷重が大きくなっても、該下壁１５が補強部材３５の上面３８によって支えられるため、同様に、図６に示すような隙間８，９が生じることは抑えられる。
【００１６】
仮に、図５や図６に示すように、下レール３０と側壁１３，１４との間の直角関係が崩れ、冷蔵ショーケース１０全体に歪みが生じて、扉１７，１８と側壁１３，１４（開口部１０ａ）との間に、図５，図６に示すような隙間８，９が生じたとする。この場合に実施例では、機械室２０の前面の化粧パネル２２を外し、前記複数の内の何れかのボルト３９を回転して先端部の突出量を調節することで、下レール３０の傾きや内壁板３２からの浮き量を調節し、下レール３０と側壁１３，１４とが直角になるように調節する。これにより、図５，図６に示すような隙間８，９はなくなって冷蔵室１６の密閉性が増し、冷蔵性能の低下を回避し得ると共に、扉１７，１８の開閉操作をスムーズに行な得るようになる。
【００１７】
また、実施例の補強部材３５には、前記通気孔３７が設けられているため、機械室２０内の機械類の発生した熱が機械室２０内にこもることがなく、機械類の性能は補強部材３５を設けない場合と同様に維持される。
【００１８】
なお、前述した実施例では、剛体でなる矩形状の補強部材３５を機械室２０に嵌め込んだが、下レール３０の位置調節のために補強部材３５は必ずしも必要ではなく、下壁１５の強度が高い場合には、ボルト３９を下壁１５に直接取り付けて、下レール３０の位置調節を行なうようにすれば、前記実施例と同様に下レール３０の歪みを容易に矯正でき、冷蔵室１６の密閉性を向上させることができる。また、実施例では調節部材としてボルト３９を挙げたが、下壁１５からの先端部の突出量を可変調節し得るものであれば、その他の手段であってもよい。
【００１９】
【発明の効果】
以上に述べた如く、本発明に係るスライド扉付き収納ケースによれば、下レール調節用の調節部材により下レールの傾き等を調節することができるから、閉塞状態の扉と開口部との間に隙間を生じた場合は、該調節部材により下レールの位置を調節することで、隙間を無くすことができる。これにより、収納ケース内の雰囲気が変化するのを防止し得る。また、下レールの歪み等を調節部材の調節により矯正し得るから、該下レールに対して扉の開閉を常にスムーズに行なうことが可能となる。
【図面の簡単な説明】
【図１】本発明の実施例に係る冷蔵ショーケースの正面図である。
【図２】図１のＩＩ―ＩＩ線断面図と要部拡大図である。
【図３】機械室の前面から化粧パネルを取り外した冷蔵ショーケースの正面図である。
【図４】実施例に係る補強部材の斜視図である。
【図５】従来の技術に係る冷蔵ショーケースを段差のある床に設置したときの不具合を示す説明図である。
【図６】従来の技術に係る冷蔵ショーケースの冷蔵室下壁に加わる荷重が過大であったときの不具合を示す説明図である。
【符号の説明】
１０ａ開口部，１５下壁，１６冷蔵室（収納室）
１７，１８スライド式ガラス扉，２０機械室（下室），３０下レール
３５補強部材，３８上面，３９下レール調節用のボルト（調節部材）
【図１】
2004008263.tif 000003
【図２】
2004008263.tif 000004
【図３】
2004008263.tif 000005
【図４】
2004008263.tif 000006
【図５】
2004008263.tif 000007
【図６】
2004008263.tif 000008